(57)【要約】【課題】大型化やコストの大幅な増大を招くことなく、画像表示領域以外でも入力を行なえる入力機能付き電気光学装置を提供すること。【解決手段】入力機能付き電気光学装置１００において、タッチパネル２に接続された第１フレキシブル配線基板３５および第２フレキシブル配線基板３７は各々、第１タッチセンサー３６および第２タッチセンサー３８を備えたタッチセンサー付き配線基板として構成されており、タッチパネル２の入力領域２ａ（画像表示領域５ｃ）の外側に第１タッチセンサー３６および第２タッチセンサー３８が配置されている。タッチパネル２の入力位置検出用電極２１、第１タッチセンサー３６および第２タッチセンサー３８はいずれも、共通の駆動用ＩＣ３５０により駆動される。【選択図】図１
2011198009.tif 000002
【特許請求の範囲】
【請求項１】
電気光学パネルと、
該電気光学パネルによる画像表示領域と重なる位置に透光性の入力位置検出用電極を備えたタッチパネルと、
前記タッチパネルの入力操作面側からみたときに前記入力位置検出用電極が配置された入力領域の外側にタッチセンサーをもって、前記電気光学パネルおよび前記タッチパネルのうちの一方に接続されたタッチセンサー付き配線基板と、
を有していることを特徴とする入力機能付き電気光学装置。
【請求項２】
前記タッチパネルは、前記入力操作面を規定する透光性基板を備え、
当該透光性基板の入力操作面側とは反対側に前記入力位置検出用電極および前記タッチセンサーが配置されていることを特徴とする請求項１に記載の入力機能付き電気光学装置。
【請求項３】
前記タッチセンサー付き配線基板は、前記タッチパネルに接続されていることを特徴とする請求項１または２に記載の入力機能付き電気光学装置。
【請求項４】
前記タッチセンサーとして、前記入力領域の外側に第１タッチセンサーと第２タッチセンサーとが設けられていることを特徴とする請求項３に記載の入力機能付き電気光学装置。
【請求項５】
前記第１タッチセンサーは、前記入力領域に対して一方側に配置され、
前記第２タッチセンサーは、前記入力領域に対して前記第１タッチセンサーが位置する側とは反対側に配置されていることを特徴とする請求項４に記載の入力機能付き電気光学装置。
【請求項６】
前記タッチセンサー付き配線基板として、前記第１タッチセンサーをもって前記タッチパネルに接続された第１タッチセンサー付き配線基板と、前記第２タッチセンサーをもって前記タッチパネルに接続された第２タッチセンサー付き配線基板と、を備え、
前記第１タッチセンサー付き配線基板と前記第２タッチセンサー付き配線基板とは、前記タッチパネルに形成された配線を介して電気的に接続されていることを特徴とする請求項４または５に記載の入力機能付き電気光学装置。
【請求項７】
前記第１タッチセンサー付き配線基板は、前記入力位置検出用電極に電気的に接続されていることを特徴とする請求項６に記載の入力機能付き電気光学装置。
【請求項８】
前記第１タッチセンサーおよび前記第２タッチセンサーは、同一の駆動用ＩＣに電気的に接続されていることを特徴とする請求項６または７に記載の入力機能付き電気光学装置。
【発明の詳細な説明】
【技術分野】
【０００１】
本発明は、電気光学パネルの画像形成領域と重なる位置に入力領域を備えた入力機能付き電気光学装置に関するものである。
【背景技術】
【０００２】
携帯電話、カーナビゲーション、パーソナルコンピューター、券売機、銀行の端末等の電子機器では、液晶パネル等の電気光学パネルの表面にタッチパネルが配置され、液晶パネルの画像表示領域に表示された画像を参照しながら情報の入力が行えるものがある（特許文献１参照）。
【先行技術文献】
【特許文献】
【０００３】
【特許文献１】特開２００９−２５９２０３号公報
【発明の概要】
【発明が解決しようとする課題】
【０００４】
しかしながら、電気光学パネルの画像表示領域と重なる位置のみにタッチパネルの入力領域があると、入力する度に画像が指で隠れる等の不便さがある。かといって、複数のタッチパネルを設けた場合には装置の大型化およびコストの大幅な増大を招いてしまうという問題点がある。
【０００５】
以上の問題点に鑑みて、本発明の課題は、大型化やコストの大幅な増大を招くことなく、画像表示領域以外でも入力を行なえる入力機能付き電気光学装置を提供することにある。
【課題を解決するための手段】
【０００６】
上記課題を解決するために、本発明に係る入力機能付き電気光学装置は、電気光学パネルと、該電気光学パネルによる画像表示領域と重なる位置に透光性の入力位置検出用電極を備えたタッチパネルと、前記タッチパネルの入力操作面側からみたときに前記入力位置検出用電極が配置された入力領域の外側にタッチセンサーをもって、前記電気光学パネルおよび前記タッチパネルのうちの一方に接続されたタッチセンサー付き配線基板と、を有していることを特徴とする。
【０００７】
本発明では、電気光学パネルまたはタッチパネルのうちの一方に接続された配線基板は、タッチセンサーを備えたタッチセンサー付き配線基板として構成されており、タッチパネルの入力領域（画像表示領域）の外側にタッチセンサーが配置されている。このため、タッチセンサーを介して入力する際は画像が指で隠れない等、便利である。また、タッチセンサーについてはサブ的な入力が行なえればよいので、簡単な構成でよい。従って、本発明では、配線基板上にタッチセンサーを設けたため、タッチパネルを追加した構成と違って、大型化やコストの大幅な増大を招くことがない。
【０００８】
本発明において、前記タッチパネルは、前記入力操作面を規定する透光性基板を備え、当該透光性基板の入力操作面側とは反対側に前記入力位置検出用電極および前記タッチセンサーが配置されていることが好ましい。このように構成すると、タッチパネルの入力領域に対する入力と、タッチセンサーに対する入力とを同一の入力操作面上で行うことができ、便利である。
【０００９】
本発明において、前記タッチセンサー付き配線基板は、前記タッチパネルに接続されていることが好ましい。このように構成すると、入力操作面に近い側にタッチセンサー付き配線基板を配置することができるので、タッチセンサーを入力操作面に近い位置に設けることが容易である。
【００１０】
本発明において、前記タッチセンサーとして、前記入力領域の外側に第１タッチセンサーと第２タッチセンサーとが設けられていることが好ましい。このように構成すると、１つのタッチセンサーについては簡単な入力しか行えないが、第１タッチセンサーと第２タッチセンサーとを設ければ、様々な入力を行うことができ、便利である。
【００１１】
この場合、前記第１タッチセンサーは、前記入力領域に対して一方側に配置され、前記第２タッチセンサーは、前記入力領域に対して前記第１タッチセンサーが位置する側とは反対側に配置されていることが好ましい。このように構成すると、入力機能付き電気光学装置を両手で持った状態で両手でタッチセンサーへの入力を行うことができる。
【００１２】
本発明において、前記タッチセンサー付き配線基板として、前記第１タッチセンサーをもって前記タッチパネルに接続された第１タッチセンサー付き配線基板と、前記第２タッチセンサーをもって前記タッチパネルに接続された第２タッチセンサー付き配線基板と、を備え、前記第１タッチセンサー付き配線基板と前記第２タッチセンサー付き配線基板とは、前記タッチパネルに形成された配線を介して電気的に接続されていることが好ましい。このように構成すると、電気的な接続のためにタッチセンサー付き配線基板を引き回す必要がない。
【００１３】
本発明において、前記第１タッチセンサー付き配線基板は、前記入力位置検出用電極に電気的に接続されていることが好ましい。このように構成すると、第１タッチセンサー付き配線基板を介して第１タッチセンサーの駆動と入力位置検出用電極の駆動とを行うことができる。
【００１４】
本発明において、前記第１タッチセンサーおよび前記第２タッチセンサーは、同一の駆動用ＩＣに電気的に接続されていることが好ましい。このように構成すると、１つの駆動用ＩＣで済む。また前記第１タッチセンサーおよび前記第２タッチセンサーに加えて、入力位置検出用電極も同一の駆動用ＩＣに電気的に接続すれば、第１タッチセンサーの駆動、第２タッチセンサーの駆動、および入力位置検出用電極の駆動を共通の駆動用ＩＣで行うことができる。
【図面の簡単な説明】
【００１５】
【図１】本発明を適用した入力機能付き電気光学装置の全体構成を模式的に示す説明図である。
【図２】本発明を適用した入力機能付き電気光学装置の断面構成を模式的に示す説明図である。
【図３】本発明を適用した入力機能付き電気光学装置に用いたセンサー基板等の概略構成を示す説明図である。
【図４】本発明を適用した別の入力機能付き電気光学装置に用いたセンサー基板等の構成を示す説明図である。
【図５】本発明を適用した入力機能付き電気光学装置を備えた電子機器の説明図である。
【発明を実施するための形態】
【００１６】
図面を参照して、本発明の実施の形態を説明する。なお、以下の説明で参照する図においては、各層や各部材を図面上で認識可能な程度の大きさとするため、各層や各部材毎に縮尺を異ならしめてある。
【００１７】
（入力機能付き電気光学装置の全体構成）
図１は、本発明を適用した入力機能付き電気光学装置の全体構成を模式的に示す説明図であり、図１（ａ）、（ｂ）は、入力機能付き電気光学装置からカバーガラス（透光性基板）を外した状態での斜視図、および入力機能付き電気光学装置の平面図である。図２は、本発明を適用した入力機能付き電気光学装置の断面構成を模式的に示す説明図である。
【００１８】
図１において、本形態の入力機能付き電気光学装置１００は、概ね、液晶装置等からなる画像生成装置５と、この画像生成装置５において表示光を出射する側の面に重ねて配置された入力装置１とを有している。入力装置１は、静電容量型のタッチパネル２を備えており、画像生成装置５は電気光学パネル５ａ（表示パネル）としての液晶パネルを備えている。本形態において、タッチパネル２および電気光学パネル５ａはいずれも矩形の平面形状を備えており、タッチパネル２および電気光学パネル５ａを平面視したときの中央領域が入力領域２ａである。また、電気光学パネル５ａにおいて入力領域２ａと平面視で重なる領域が画像形成領域５ｃである。電気光学パネル５ａにおいて、タッチパネル２の４つの端部２０ｅ〜２０ｈのうち、端部２０ｅが位置する側にはフレキシブル配線基板７３が接続されている。
【００１９】
図１および図２において、画像生成装置５は、透過型や半透過反射型のアクティブマトリクス型の液晶表示装置であり、電気光学パネル５ａに対してタッチパネル２が配置されている側とは反対側（表示光の出射側とは反対側）にはバックライト装置（図示せず）が配置されている。バックライト装置は、例えば、電気光学パネル５ａに対してタッチパネル２が配置されている側とは反対側に重ねて配置された透光性の導光板と、導光板の側端部に向けて白色光等を出射する発光ダイオード等の光源とを備えており、光源から出射された光は、導光板の側端部から入射した後、導光板内を伝搬しながら電気光学パネル５ａに向けて出射される。導光板と電気光学パネル５ａとの間には、光散乱シートやプリズムシート等のシート状光学部材が配置されることもある。
【００２０】
画像生成装置５において、電気光学パネル５ａに対して表示光の出射側には第１偏光板８１が重ねて配置され、その反対側に第２偏光板８２が重ねて配置されている。電気光学パネル５ａは、表示光の出射側とは反対側に配置された透光性の素子基板５０と、この素子基板５０に対して表示光の出射側で対向配置された透光性の対向基板６０とを備えている。対向基板６０と素子基板５０とは、矩形枠状のシール材７１により貼り合わされており、対向基板６０と素子基板５０との間においてシール材７１で囲まれた領域内に液晶層５５が保持されている。素子基板５０において、対向基板６０と対向する面には複数の画素電極５８がＩＴＯ（Indium Tin Oxide）膜やＩＺＯ（Indium Zinc Oxide）膜等の透光性導電膜により形成され、対向基板６０において、素子基板５０と対向する面には共通電極６８がＩＴＯ膜等の透光性導電膜により形成されている。また、対向基板６０にはカラーフィルターが形成されている。なお、電気光学パネル５ａがＩＰＳ(In Plane Switching)方式や、ＦＦＳ（Fringe Field Switching）方式である場合、共通電極６８は素子基板５０の側に設けられる。また、素子基板５０が対向基板６０に対して表示光の出射側に配置されることもある。素子基板５０において、対向基板６０の縁から張り出した張出領域５９には駆動用ＩＣ７５がＣＯＧ実装されているとともに、張出領域５９にはフレキシブル配線基板７３が接続されている。なお、素子基板５０には、素子基板５０上のスイッチング素子と同時に駆動回路を形成することもある。
【００２１】
（静電容量型の入力装置１の詳細構成）
図２に示す入力装置１において、タッチパネル２は、ガラス基板からなるセンサー基板２０を備えており、本形態において、センサー基板２０には、基板厚が０．２ｍｍのガラス基板が用いられている。以下、センサー基板２０において、以下に説明する電極等が形成されている側を第１面２０ａとし、その反対側を第２面２０ｂとして説明する。
【００２２】
詳しくは後述するが、センサー基板２０の第１面２０ａには、センサー基板２０からみて下層側から上層側に向かって第１透光性導電膜４ａ、層間絶縁膜２１４、第２透光性導電膜４ｂ、および透光性のオーバーコート層２２が形成されており、第１透光性導電膜４ａおよび第２透光性導電膜４ｂのうち、第１透光性導電膜４ａによって入力位置検出用電極２１が形成されている。センサー基板２０に対して入力操作側には、化学強化ガラス等からなるカバーガラス９０が粘着剤９４等により貼付されている。カバーガラス９０には、センサー基板２０において入力領域２ａの外側の領域（周辺領域２ｂ）と重なる領域に黒色の遮光層９１が印刷されており、かかる遮光層９１で囲まれた領域が入力領域２ａである。本形態において、センサー基板２０は、電極等が形成されている第１面２０ａが入力操作側に向いているが、第１面２０ａとは反対側の第２面２０ｂが入力操作側に向くようにセンサー基板２０が配置されることもある。
【００２３】
タッチパネル２と電気光学パネル５ａとの間には、透光性フィルム上にＩＴＯ膜等の透光性導電膜が形成されたシールド用の導電フィルム９９が配置されている。かかる導電フィルム９９は、センサー基板２０に粘着剤層９９ｅによって接着されており、導電フィルム９９は、電気光学パネル５ａ側での電位変化がノイズとして入力位置検出用電極２１に影響を及ぼすことを防止する機能を担っている。なお、電気光学パネル５ａと入力位置検出用電極２１との間に十分な距離が確保できる場合、導電フィルム９９は省略されることもある。
【００２４】
（入力装置１の電極等の概略構成）
図３は、本発明を適用した入力機能付き電気光学装置１００に用いたセンサー基板２０等の概略構成を示す説明図であり、図３（ａ）、（ｂ）は、センサー基板２０等の平面構成を示す説明図および断面構成を示す説明図である。なお、図３（ａ）において、入力領域２ａについては、その角部分の位置を英文字の「Ｌ」状のマークで示してある。また、図３（ｂ）には、センサー基板２０のＣ−Ｃ′における断面を模式的に示してある。
【００２５】
図３（ａ）に示すように、本形態の静電容量型の入力装置１において、センサー基板２０の第１面２０ａには、入力領域２ａでＸ方向（第１方向）に延在する入力位置検出用の複数の第１電極２１１と、入力領域２ａでＸ方向に交差するＹ方向（第２方向）に延在する入力位置検出用の複数の第２電極２１２とが形成されており、これらの第１電極２１１および第２電極２１２によって入力位置検出用電極２１が形成されている。
【００２６】
また、センサー基板２０の第１面２０ａにおいて、入力領域２ａの外側に相当する周辺領域２ｂには、第１電極２１１の一方側端部から延在する第１配線２７、および第２電極２１２の一方側端部から延在する第１配線２７が形成されている。
【００２７】
さらに、センサー基板２０の第１面２０ａにおいて、入力領域２ａの外側に相当する周辺領域２ｂには、センサー基板２０の端部２０ｇから端部２０ｅまで延在する第２配線２８が形成されている。かかる第２配線２８は、後述するタッチセンサーへの配線用である。なお、第１配線２７や第２配線２８等に対しては、図１（ｂ）および図２に示す黒色の遮光層９１が重なっており、入力操作面側からは第１配線２７や第２配線２８等が見えないようになっている。なお、図１（ｂ）に示すように、遮光層９１は、一部が抜き部分になっており、かかる抜き部分には、黒色以外の有色の印刷層９２ｅ、９２ｆが形成されており、かかる印刷層９２ｅ、９２ｆは、後述するタッチセンサーへの入力位置２ｅ、２ｆである。
【００２８】
図３（ｂ）に示すように、本形態の静電容量型の入力装置１において、センサー基板２０の第１面２０ａの側には、センサー基板２０からみて下層側から上層側に向けて第１透光性導電膜４ａ、層間絶縁膜２１４、第２透光性導電膜４ｂおよびオーバーコート層２２が順に形成されている。また、センサー基板２０の第１面２０ａの側では、第１透光性導電膜４ａのうち、第１配線２７や第２配線２８を構成する部分（下層側配線層２７１）には、第１透光性導電膜４ａの上面に金属層４ｃからなる上層側配線層２７２が形成されている。なお、第１配線２７や第２配線２８では、第１透光性導電膜４ａの下層側に金属層４ｃが形成されることもある。
【００２９】
本形態において、第１透光性導電膜４ａは多結晶のＩＴＯ膜からなり、第１透光性導電膜４ａの上層側には、感光性樹脂膜やシリコン酸化膜等の透光性絶縁膜からなる層間絶縁膜２１４が形成されている。本形態において、第２透光性導電膜４ｂも、第１透光性導電膜４ａと同様、多結晶のＩＴＯ膜からなる。なお、センサー基板２０の第１面２０ａには、その全面にシリコン酸化膜等からなる透光性の下地保護層が形成されている場合があり、この場合、下地保護層上に第１透光性導電膜４ａや第２透光性導電膜４ｂが順に積層されることになる。
【００３０】
本形態の静電容量型の入力装置１において、第１透光性導電膜４ａは、まず、入力領域２ａに複数の菱形領域として形成され、かかる菱形領域は、入力位置検出用電極２１（第１電極２１１および第２電極２１２）のパッド部２１１ａ、２１２ａ（大面積部分）を構成する。これらのパッド部２１１ａ、２１２ａは、Ｘ方向およびＹ方向において交互に配列されている。複数のパッド部２１１ａにおいてＸ方向（第１方向）で隣り合うパッド部２１１ａ同士は連結部分２１１ｃを介して繋がっており、パッド部２１１ａおよび連結部分２１１ｃは、Ｘ方向で延在する第１電極２１１を構成している。これに対して、複数のパッド部２１２ａは、Ｙ方向（第２方向）で延在する第２電極２１２を構成するが、Ｙ方向で隣り合うパッド部２１２ａの間、すなわち、連結部分２１１ｃと重なる部分は途切れ部分２１８ａになっている。
【００３１】
層間絶縁膜２１４は入力領域２ａから周辺領域２ｂにわたって広い領域に形成されている。層間絶縁膜２１４には、コンタクトホール２１４ａが形成されており、かかるコンタクトホール２１４ａは、パッド部２１２ａにおいて途切れ部分２１８ａを介して対峙する端部と重なる位置に形成されている。層間絶縁膜２１４の上層側において、第２透光性導電膜４ｂは、コンタクトホール２１４ａと重なる領域に中継電極２１５として形成されている。さらに、第２透光性導電膜４ｂの上層側には、センサー基板２０の略全面に感光性樹脂等からなるオーバーコート層２２が形成されている。
【００３２】
このように構成した静電容量型の入力装置１において、第１電極２１１および第２電極２１２は、同一の導電膜（第１透光性導電膜４ａ）によって形成され、かつ、互いに交差する方向に延在しているため、センサー基板２０上には、第１電極２１１と第２電極２１２とが交差する交差部２１８が存在する。ここで、第１電極２１１および第２電極２１２のうち、第１電極２１１は、交差部２１８でも第２透光性導電膜４ｂからなる連結部分２１１ｃによってＸ方向で繋がって延在している。これに対して、第２電極２１２には交差部２１８に途切れ部分２１８ａが構成されている。但し、交差部２１８では、層間絶縁膜２１４の上層に中継電極２１５が形成されており、かかる中継電極２１５は、層間絶縁膜２１４のコンタクトホール２１４ａを介して、途切れ部分２１８ａを介して隣り合うパッド２１２ａ同士を電気的に接続している。このため、第２電極２１２はＹ方向で電気的に接続した状態でＹ方向に延在している。なお、中継電極２１５は、層間絶縁膜２１４を介して連結部分２１１ｃに重なっているため、短絡するおそれはない。
【００３３】
（タッチセンサー等の構成）
図２および図３に示すように、本形態の入力機能付き電気光学装置１００において、センサー基板２０の第１面２０ａ側に形成された第１配線２７は、センサー基板２０の端部２０ｅ側に位置する部分が実装端子２４ａになっており、かかる実装端子２４ａが配列されている領域は、駆動用ＩＣ３５０が実装された第１フレキシブル配線基板３５が接続された実装領域２４０になっている。このため、第１フレキシブル配線基板３５および駆動用ＩＣ３５０は、第１配線２７を介して入力位置検出用電極２１に電気的に接続している。なお、第１フレキシブル配線基板３５には、導電フィルム９９の端部が電気的に接続されている。
【００３４】
また、センサー基板２０の第１面２０ａ側に形成された第２配線２８は、センサー基板２０の端部２０ｅ側に位置する部分が実装端子２４ｂになっており、かかる実装端子２４ｂは、実装端子２４ａと同様、実装領域２４０に配列されている。このため、第１フレキシブル配線基板３５は、実装端子２４ａおよび実装端子２４ｂに電気的に接続されている。また、第２配線２８は、センサー基板２０の端部２０ｇ側に位置する部分が実装端子２５ａになっており、かかる実装端子２５ａが配列されている領域は、第２フレキシブル配線基板３７が接続された実装領域２５０になっている。このため、第２フレキシブル配線基板３７は、第２配線２８を介して第１フレキシブル配線基板３５および駆動用ＩＣ３５０に電気的に接続している。
【００３５】
ここで、第１フレキシブル配線基板３５は、一方の面に第１タッチセンサー３６が形成された第１タッチセンサー付き配線基板として構成されており、第１タッチセンサー３６は、駆動用ＩＣ３５０に電気的に接続されている。本形態において、第１フレキシブル配線基板３５は、センサー基板２０との接続部分から駆動用ＩＣ３５０が実装されている部分まで延在する本体部分３５１と、本体部分３５１からセンサー基板２０の端部２０ｅに沿って延在する帯状部分３５２とを備えており、帯状部分３５２には、その長手方向に３つの第１タッチセンサー３６が形成されている。
【００３６】
また、第２フレキシブル配線基板３７は、一方の面に第２タッチセンサー３８が形成された第２タッチセンサー付き配線基板として構成されており、第２タッチセンサー３８は、第２配線２８および第１フレキシブル配線基板３５を介して駆動用ＩＣ３５０に電気的に接続されている。本形態において、第２フレキシブル配線基板３７は、センサー基板２０との接続部分からセンサー基板２０の端部２０ｇに沿って延在する帯状部分３７２を備えており、帯状部分３７２には、その長手方向に３つの第２タッチセンサー３８が形成されている。
【００３７】
このように構成した第１フレキシブル配線基板３５は、３つの第１タッチセンサー３６が各々、周辺領域２ｂのうち、入力領域２ａと端部２０ｅとの間でカバーガラス９０の印刷層９２ｅと重なるように配置され、粘着剤９４等により固定されている。また、第２フレキシブル配線基板３７は、３つの第２タッチセンサー３８が各々、周辺領域２ｂのうち、入力領域２ａと端部２０ｇとの間でカバーガラス９０の印刷層９２ｆと重なるように配置され、粘着剤９４等により固定されている。
【００３８】
ここで、第１タッチセンサー３６および第２タッチセンサー３８は、静電容量方式のタッチセンサーであり、第１フレキシブル配線基板３５および第２フレキシブル配線基板３７において、導電パターンを構成する銅箔により形成された電極からなる。かかる第１タッチセンサー３６および第２タッチセンサー３８では、カバーガラス９０の印刷層９２ｅ、９２ｆに指先が接近した際、第１タッチセンサー３６および第２タッチセンサー３８に寄生する容量が変化するため、カバーガラス９０の印刷層９２ｅ、９２ｆに指先が接近したか否かを検出することができる。従って、カバーガラス９０において印刷層９２ｅ、９２ｆが形成されている部分は、第１タッチセンサー３６への入力位置２ｅおよび第２タッチセンサー３８への入力位置２ｆである。
【００３９】
（入力位置検出方法）
本形態の入力装置１において、駆動用ＩＣ３５０が入力位置検出用電極２１に矩形パルス状の位置検出信号を出力すると、入力位置検出用電極２１に容量が寄生していない場合、入力位置検出用電極２１に印加した位置検出信号と同一波形の信号が検出される。これに対して、入力位置検出用電極２１に容量が寄生していると、容量に起因する波形の歪みが発生するので、駆動用ＩＣ３５０は、入力位置検出用電極２１に容量が寄生しているか否かを検出することができる。従って、複数の入力位置検出用電極２１のうちのいずれかに指が接近すると、指が接近した入力位置検出用電極２１では、指との間に生じた静電容量分だけ、静電容量が増大するので、駆動用ＩＣ３５０は、指が近接した電極（入力位置）を特定することができる。このため、入力位置検出用電極２１は、カバーガラス９０よりも入力操作面側とは反対側に形成されていても、入力領域２ａにおいてカバーガラス９０への指の接触があれば、それを検出することができる。例えば、入力領域２ａの所定位置に指先を接近させれば、入力領域２ａに表示されたスイッチ等を選択することができる。
【００４０】
また、本形態では、駆動用ＩＣ３５０が第１タッチセンサー３６および第２タッチセンサー３８に矩形パルス状の位置検出信号を出力すると、第１タッチセンサー３６および第２タッチセンサー３８に容量が寄生していない場合、第１タッチセンサー３６および第２タッチセンサー３８に印加した位置検出信号と同一波形の信号が検出される。これに対して、第１タッチセンサー３６および第２タッチセンサー３８に容量が寄生していると、容量に起因する波形の歪みが発生するので、駆動用ＩＣ３５０は、第１タッチセンサー３６および第２タッチセンサー３８に容量が寄生しているか否かを検出することができる。従って、複数の第１タッチセンサー３６および複数の第２タッチセンサー３８のうちのいずれかに指が接近すると、指が接近したタッチセンサーでは、指との間に生じた静電容量分だけ、静電容量が増大するので、駆動用ＩＣ３５０は、指が近接したタッチセンサー（入力位置）を特定することができる。このため、第１タッチセンサー３６および第２タッチセンサー３８は、カバーガラス９０よりも入力操作面側とは反対側に形成されていても、周辺領域２ｂにおいてカバーガラス９０への指の接触があれば、それを検出することができる。例えば、周辺領域２ｂの所定位置に指先を接近させれば、第１タッチセンサー３６および第２タッチセンサー３８のいずれに指先を接近させたかによって、画像の一部を切り換える旨の指示や、スクロール等の指示を行なうことができる。また、３つの第１タッチセンサー３６および３つの第２タッチセンサー３８が並ぶ方向のうち、いずれの方向に指先を移動させかたかによって、画像の一部を切り換える内容や、スクロール方向等の指示を行なうことができる。
【００４１】
（本形態の主な効果）
以上説明したように、本形態の入力機能付き電気光学装置１００は、タッチパネル２に接続された第１フレキシブル配線基板３５および第２フレキシブル配線基板３７は各々、第１タッチセンサー３６および第２タッチセンサー３８を備えたタッチセンサー付き配線基板として構成されており、タッチパネル２の入力領域２ａ（画像表示領域５ｃ）の外側に第１タッチセンサー３６および第２タッチセンサー３８が配置されている。このため、第１タッチセンサー３６および第２タッチセンサー３８を介して入力する際は画像が指で隠れない等、便利である。また、第１タッチセンサー３６および第２タッチセンサー３８についてはサブ的な入力が行なえればよいので、簡単な構成でよい。従って、本形態では、第１フレキシブル配線基板３５および第２フレキシブル配線基板３７に第１タッチセンサー３６および第２タッチセンサー３８を設けたため、タッチパネルを追加した構成と違って、大型化やコストの大幅な増大を招くことがない。
【００４２】
また、タッチパネル２は、入力操作面を規定するカバーガラス９０（透光性基板）を備え、カバーガラス９０の入力操作面側とは反対側に入力位置検出用電極２１、第１タッチセンサー３６および第２タッチセンサー３８が配置されている。このため、タッチパネル２の入力領域２ａに対する入力と、第１タッチセンサー３６および第２タッチセンサー３８に対する入力とを同一の入力操作面上で行うことができ、便利である。
【００４３】
また、本形態では、タッチパネル２に接続された第１フレキシブル配線基板３５および第２フレキシブル配線基板３７に第１タッチセンサー３６および第２タッチセンサー３８を設けたため、電気光学パネル５ａに接続したフレキシブル配線基板７３にタッチセンサーを設けた場合と比較して入力操作面に近い側にタッチセンサー付き配線基板（第１フレキシブル配線基板３５および第２フレキシブル配線基板３７）を配置することができる。それ故、第１タッチセンサー３６および第２タッチセンサー３８を入力操作面に近い位置に設けることが容易である。
【００４４】
また、１つのタッチセンサーについては簡単な入力しか行えないが、本形態では、タッチセンサーとして、入力領域２ａの外側に第１タッチセンサー３６と第２タッチセンサー３８とが設けられている。このため、画面のスクロール方向の指示等を第１タッチセンサー３６および第２タッチセンサー３８によって行うことができ、便利である。しかも、第１タッチセンサー３６は、入力領域２ａに対して一方側に配置され、第２タッチセンサー３８は、入力領域２ａに対して第１タッチセンサー３６が位置する側とは反対側に配置されている。このため、入力機能付き電気光学装置１００を両手で持った状態で両手で第１タッチセンサー３６と第２タッチセンサー３８への入力を行うことができる。
【００４５】
また、第１フレキシブル配線基板３５および第２フレキシブル配線基板３７は、タッチパネル２に形成された第２配線２８を介して電気的に接続されている。このため、第１タッチセンサー３６および第２タッチセンサー３８を駆動するにあたって、第１フレキシブル配線基板３５および第２フレキシブル配線基板３７の双方を引き回す必要がない。しかも、第２フレキシブル配線基板３７を引き回さなくても、第２タッチセンサー３８を第１フレキシブル配線基板３５に実装された駆動用ＩＣ３５０に電気的に接続することができる。また、第１タッチセンサー３６を備えた第１フレキシブル配線基板３５は、入力位置検出用電極２１にも電気的に接続されている。従って、入力位置検出用電極２１、第１タッチセンサー３６、および第２タッチセンサー３８のいずれをも同一の駆動用ＩＣ３５０に電気的に接続することができるので、第１タッチセンサー３６の駆動、第２タッチセンサー３８の駆動、および入力位置検出用電極２１の駆動を共通の駆動用ＩＣ３５０で行うことができる。
【００４６】
［実施の形態の変形例］
図４は、本発明を適用した別の入力機能付き電気光学装置１００に用いたセンサー基板２０等の構成を示す説明図である。なお、本形態の基本的な構成は、図１〜図３を参照して説明した構成と同様であるため、共通する部分には同一の符号を付して図示し、それらの説明を省略する。
【００４７】
図１〜図３を参照して説明した構成では、第１フレキシブル配線基板３５および第２フレキシブル配線基板３７（タッチセンサー付き配線基板）を各々、センサー基板２０において、入力領域２ａを間に挟む反対側の端部２０ｅ、２０ｇに接続したが、図４に示すように、センサー基板２０において、隣り合う２つの端部２０ｅ、２０ｇに接続してもよい。かかる構成によれば、入力領域２ａにおいて、隣り合う２つの辺部分に第１タッチセンサー３６および第２タッチセンサー３８が配置されることになる。
【００４８】
［他の実施の形態］
上記実施の形態では、２つのタッチセンサー付き配線基板を用いたが、１つあるいは３つ以上のタッチセンサー付き配線基板を用い、１箇所あるいは３箇所以上にタッチセンサーを設けてもよい。
【００４９】
上記実施の形態では、タッチパネル２に接続されたフレキシブル配線基板をタッチセンサー付き配線基板としたが、電気光学パネル５ａに接続されているフレキシブル配線基板７３をタッチセンサー付き配線基板としてもよい。
【００５０】
上記実施の形態では、静電容量方式のタッチパネル２に静電容量方式のタッチセンサーを設けたが、抵抗膜方式等、静電容量方式以外のタッチパネル２に静電容量方式のタッチセンサーを設けてもよい。また、タッチセンサーについても、抵抗膜方式や感圧式等、静電容量方式以外のタッチセンサーを設けてもよい。
【００５１】
上記実施の形態では、電気光学パネル５ａとして液晶パネルを用いたが、電気光学パネル５ａとしては有機エレクトロルミネッセンス装置用パネルを用いてもよい。
【００５２】
［電子機器への搭載例］
上述した実施形態に係る入力機能付き電気光学装置１００を適用した電子機器について説明する。図５は、本発明を適用した入力機能付き電気光学装置１００を備えた電子機器の説明図である。図５（ａ）に、入力機能付き電気光学装置１００を備えたモバイル型のパーソナルコンピューターの構成を示す。パーソナルコンピューター２０００は、表示ユニットとしての入力機能付き電気光学装置１００と本体部２０１０を備える。本体部２０１０には、電源スイッチ２００１およびキーボード２００２が設けられている。図５（ｂ）に、入力機能付き電気光学装置１００を備えた携帯電話機の構成を示す。携帯電話機３０００は、複数の操作ボタン３００１、スクロールボタン３００２、および表示ユニットとしての入力機能付き電気光学装置１００を備える。スクロールボタン３００２を操作することによって、入力機能付き電気光学装置１００に表示される画面がスクロールされる。図５（ｃ）に、入力機能付き電気光学装置１００を適用した情報携帯端末（ＰＤＡ：Personal Digital Assistants）の構成を示す。情報携帯端末４０００は、複数の操作ボタン４００１、電源スイッチ４００２、および表示ユニットとしての入力機能付き電気光学装置１００を備える。電源スイッチ４００２を操作すると、住所録やスケジュール帳といった各種の情報が入力機能付き電気光学装置１００に表示される。
【００５３】
なお、入力機能付き電気光学装置１００が適用される電子機器としては、図５に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末等の電子機器等が挙げられる。そして、これらの各種電子機器の表示部として、前述した入力機能付き電気光学装置１００が適用可能である。
【符号の説明】
【００５４】
１・・静電容量型の入力装置、２・・タッチパネル、２ａ・・入力領域、２ｂ・・周辺領域、５・・画像生成装置、５ａ・・電気光学パネル、２０・・センサー基板、２１・・入力位置検出用電極、２７・・第１配線、２８・・第２配線、３５・・第１フレキシブル配線基板（第１タッチセンサー付き配線基板）、３６・・第１タッチセンサー、３７・・第２フレキシブル配線基板（第２タッチセンサー付き配線基板）、３８・・第２タッチセンサー、１００・・入力機能付き電気光学装置、３５０・・駆動用ＩＣ
【図１】
2011198009.tif 000003
【図２】
2011198009.tif 000004
【図３】
2011198009.tif 000005
【図４】
2011198009.tif 000006
【図５】
2011198009.tif 000007